(57)【特許請求の範囲】
【請求項１】
器具本体と、補助照明電源用の接続部を有して前記接続部が前記器具本体の周縁部から進出した状態と前記接続部が前記周縁部から後退した状態との間を移動自在に前記器具本体の背面に取付けられた接続台とを備え、前記接続台は、前記接続部が水平方向に向きかつ補助照明器具の被接続部が前記接続部に接続された状態で前記器具本体の背面に沿って約１８０度回動できるように構成したことを特徴とする照明器具。
【発明の詳細な説明】
【０００１】
【発明の属する技術分野】
この発明は、照明器具に関するものである。
【０００２】
【従来の技術】
第１の従来例（たとえば実開昭56-144427 号) を図１６に示す。すなわち、この照明器具は、補助照明電源用の接続台１００を器具本体１０１の周縁部に回動自在に取付けて、接続台１００の先端に設けた接続部１０３を器具本体１０１の周縁部より進退させるようにしていた。
【０００３】
第２の従来例（たとえば実開昭56-127624 号) を図１７に示す。すなわち、この照明器具は、器具本体１０１の背面に接続部１０３を固定していた。
【０００４】
【発明が解決しようとする課題】
第１の従来例は、補助照明器具の被接続部が接続部１０３に接続した状態では接続部１０３が器具本体１０１の周縁部から進出したままで後退することができないため、外観上見苦しいという欠点があった。
第２の従来例は、被接続部の接続状態では接続部１０３が器具本体１０１の背面に隠れているが、接続操作が困難であるという欠点があった。
【０００５】
したがって、この発明の目的は、接続部への接続が容易であり、接続状態で接続部を隠蔽することができる照明器具を提供することである。
【０００６】
【課題を解決するための手段】
請求項１記載の照明器具は、器具本体と、補助照明電源用の接続部を有して前記接続部が前記器具本体の周縁部から進出した状態と前記接続部が前記周縁部から後退した状態との間を移動自在に前記器具本体の背面に取付けられた接続台とを備え、前記接続台は、前記接続部が水平方向に向きかつ補助照明器具の被接続部が前記接続部に接続された状態で前記器具本体の背面に沿って約１８０度回動できるように構成したことを特徴とするものである。
【０００７】
請求項１記載の照明器具によれば、接続部を器具本体の周縁部より外部に進出することにより、補助照明器具の被接続部を容易に接続部に接続することができ、このため接続が確実にでき、不完全接続を避けやすく安全性を図れる。また被接続部を接続部に接続したままで接続部を周縁部から後退することができるので、見苦しくなくなる。
【０００８】
また、被接続部を接続部に水平方向に接続しているため、後退位置での接続部および被接続部の収納高さを低くでき、このため器具全高を低くでき、たとえば天井直付けの場合天井との間の隙間を小さくできる。
【０００９】
【発明の実施の形態】
この発明の第１の実施の形態を図１ないし図３により説明する。すなわち、この照明器具は、器具本体である灯体部本体１ａと、接続台６０とを有する。
灯体部本体１ａは、天井８０に直付けされる取付部１２を上面に有し、下面側にグローブ６を取付けて内部にランプ（図示せず）を収納している。１９はフランジである。
【００１０】
補助照明器具８１は、天井８０に取付けられた灯体部本体１ａの近傍の天井８０に設けたフック（図示せず）に、吊りコード８３により吊り下げられ、この吊りコード８３の先端に被接続部８２である引っ掛けシーリングキャップが設けられている。
接続台２は、補助照明電源用の接続部６１を有して接続部６１が灯体部本体１ａの周縁部から進出した状態と、接続部６１が周縁部から後退した状態との間を移動自在に灯体部本体１ａの背面に取付けられ、接続部６１に接続される補助照明器具８１の被接続部８２が接続部６１に接続された状態で接続台６０が移動できるように構成している。
【００１１】
実施の形態では、接続台６１が略Ｌ字状板により形成され、その一片６０ａは先端部を段曲げしている。この一片６０ａが灯体部本体１ａの周縁部に軸７５により回動自在に取付けられ、灯体部本体１ａの上面に対して垂直姿勢となった他片６０ｂに接続部６１を接続口が横向きとなるように、すなわち接続部６１が水平方向に向いた状態で移動可能となるように取付けられている。６２はリード線、６３はリード線を灯体部１内から引き出すための孔である。
【００１２】
図１の想像線および図２は接続台６０の接続部６１を灯体部本体１ａの周縁部から外方へ進出した状態であり、この状態で接続部６１に被接続部８２を接続することができ、しかも接続部６１の接続口が水平方向に向いているので被接続部８２の接続が容易である。図１の実線は、接続部６１に被接続部８２を接続したままで、接続台６０を軸７５を中心に回動して、接続部６１を灯体部本体１ａの周縁部から後退した状態であり、下方からみると接続部６１が灯体部本体１ａの水平投影面外の進出位置から水平投影面内に収納され隠蔽された状態になる。したがって、接続時には接続部６１を進出させ、使用時には後退して隠蔽するように使用する。
【００１３】
図３は灯体部１のカバーを外した内部を示すもので、６４は主照明の点灯装置、６５は引っ掛けシーリング１６に接続された電源線、６６は補助照明の制御装置、６７は補助照明の制御信号線、６８は点灯装置６４から制御装置６６への電源の送り、６９は赤外線受光部である。この赤外線受光部６９に手元送信部（図示せず）より信号を送信することにより、主照明および補助照明を個別または同時に点灯または消滅することができるようにしている。
【００１４】
なお、灯体部１に主照明用のスイッチ（図示せず）および補助照明用のスイッチ（図示せず）をそれぞれ設けてもよく、これらのスイッチによる制御を灯体部１で行い、補助照明器具８１のスイッチを省略することができる。
この実施の形態によれば、接続部６１を灯体部本体１ａの周縁部より外部に進出することにより、補助照明器具８１の被接続部８２を容易に接続部６１に接続することができ、このため接続が確実にでき、不完全接続を避けやすく安全性を図れる。また被接続部８２を接続部６１に接続したままで接続部６１を周縁部から後退することができるので、見苦しくなくなる。
【００１５】
また被接続部８２を接続部６１に水平方向に接続しているため、後退位置での接続部６１および被接続部８２の収納高さは、引っ掛けシーリングの設置状態の縦寸法にクリアランスを加えた寸法でよいので、収納高さを低くでき、このため器具全高を低くでき、たとえば天井直付けの場合天井との間の隙間を小さくできる。
【００１６】
この発明の第２の実施の形態を図４および図５により説明する。すなわち、台１の実施の形態と異なる点は、灯体部本体１ａの周縁部に灯体部本体１ａの径方向に長い長孔７６を形成し、軸７５を長孔７６に移動自在に取付けていることである。この場合、軸７５を長孔７６に沿って進出移動すると接続部６１が灯体部本体１ａの周縁部から外方に進出し、軸７５を長孔７６に沿って後退移動すると接続部６１が灯体部本体１ａの周縁部から内方に後退する。その他は、第１の実施の形態と同様である。
【００１７】
この発明の第３の実施の形態を図６ないし図１０により説明する。すなわち、第１の実施の形態と異なる点は、補助照明器具を取付ける補助照明取付部９を灯体部本体１ａに設けたことである。
この照明器具は、灯体部１と、取付台２と、支持アーム３とを有する。灯体部１はランプ４を有するもので、実施の形態では図１０に示すように灯体部本体１ａの下面に取付けられて環形のランプ４を点灯するランプ支持部５、ランプ４を点滅制御する点灯装置（図示せず）、ランプ支持部５に支持されランプソケットに装着されたランプ４を被覆するグローブ６を有する。３６はグローブ取付部である。また灯体部１は上面に環状の凹部７を形成し、中央に電線引込み孔８を形成し、また中央位置に有天筒状でつば状の接続部１０を設けた取付部１２をねじ等の取付具１３により取付けている。取付部１２の天部１２ａは中心にシーリング用孔１４を形成し、シーリング用孔１４の周縁に略だるま形の取付孔１５を形成し、図９に示す引っ掛けシーリング１６の取付板１７に設けたつまみねじ１８を取付孔１５の大径部より通してつまみねじ１８の首部を細幅部に通してつまみねじ１８を締めつけることができるようにしている。取付部１２の張出部として取付部１２の天部にフランジ１９をねじ等の取付具２０により取付け、フランジ１９の周縁部が天井面に当接することによって灯体部１を天井に直付け固定し、直付け照明器具となすようにし、引っ掛けシーリング１６の電線はシーリング用孔１４および電線引込み孔８を通して灯体部１内に引き込んでいる。
【００１８】
取付台２は、灯体部１の上側に回動自在に設けられている。実施の形態の取付台２は灯体部１の外径よりも小さい外径の略環状であり、断面形状が両側に幅広部を形成した略Ｕ字形に形成され、灯体部１の環状の凹部７に中央部が載置され、外周側の広幅部２ａは灯体部本体１ａの周縁部に一部被さり、内周側の広幅部２ｂは段上げ部２２を有して段上げ部２２よりも内周側が灯体部本体１ａの中央部の一部載っており、取付部１２の接続部１０が取付台２の内周側の上側を覆い、その先端の垂下片２３が段上げ部２２の外周に係合している。したがって、取付部１２は取付台２の中心穴２５より突出するとともに、取付部１２と灯体部本体１ａとの間に取付台２を挾み込んで回動自在に規制している。なおリード線６２は取付台２の上側に配線される。
【００１９】
支持アーム３は、補助照明取付部９を有して取付台２に取付けられている。実施の形態の支持アーム３は取付台２の中心から径方向に離れた位置に取付けられている。すなわち支持アーム３の後端側が取付部１２の外周側で接続部１０に位置するように配置され、支持アーム３が取付台と交差する２か所の位置の取付台外周近傍にねじ等の取付具２６により取付けている。２７は取付台２に設けた取付受け部である。
【００２０】
また補助照明取付部９は支持アーム３の灯体部１からの距離を可変にするもので、実施の形態では支持アーム３を伸縮可能に構成している。すなわち支持アーム３はアームケース２８と、支持アーム部２９からなり、支持アーム部２９がアームケース２８に摺動自在に嵌合し、アームケース２８が取付台２に取付けられている。アームケース２８はチャンネル形をなし、また支持アーム部２９はパイプたとえば中空鋼管を２つ折りに略Ｕ字状に成形したものであり、その折曲部に補助照明取付部９を設けている。この補助照明取付部９は図１０に示すようにフック３３を有し、これに補助照明器具の引っ掛けシーリングキャップ（図示せず）を有する吊りコード３４を引っ掛けて吊持している。３５はフック３３を被覆するカバーである。
【００２１】
また支持アーム３は、先端側が引下げられた際に張出部に当たる規制用の突出部３０を支持アーム３の後端側のアームケース２８に設けている。実施の形態では突出部３０が略門形をなし、その上端部に当たり突起３１を設けている。したがって、支持アーム３の後端側の突出部３０は回転軌跡の上方に張出部であるフランジ１９が対向し、支持アーム３の先端側が、たとえば異常に、引下げられた際にフランジ１９に当たることができる。
【００２２】
この実施の形態によれば、支持アーム３が灯体部１の上側にあるため下方からの外観がよくなり、取付台２を灯体部１に回動自在に設けたため、灯体部１が回転することなく支持アーム３を回動することができ、灯体形状として方向性のあるものにも展開できる。
また環状の取付台２の回転のガイドを灯体部１に形成でき、ガイドを別に設けなくてもよいため、構造を簡略化できる。
【００２３】
支持アーム３は取付台２の中心から径方向に離れた位置に取付けられているため、回転モーメントが大きくなるので支持アーム３の先端を把持して回転させる際に回転させやすくなる。
規制用の突出部３０により、支持アーム３の先端に異常な力が加わって取付台２が浮くようなことがあっても、突出部３０がフランジ１９に当たるので、灯体部１の中心に過負荷がかからず、支持アーム３を確実に保持できるとともに、突出部３０がフランジ１９に当たり、たとえば天井に当たらないので天井を傷付けない。
【００２４】
補助照明取付部９の灯体部１に対する距離が可変なため配向の調整や変更が容易になる。
さらに、支持アーム３を伸縮可能としたため、補助照明取付部５が支持アーム３とともに移動するので、たとえば補助照明を主照明に近づけても不要なアームだけが残ることがなく外観が良くなる。
【００２５】
この発明の第４の実施の形態を図１１ないし図１３に示す。すなわち、第３の実施の形態と異なる点は、取付台２が中央孔を有する円板状に形成し、その内周側に筒状部４０を形成し、その上端にフランジ１９の下面に係合可能なリング状の係合部４１を形成し、係合部４１の内周端に形成した垂下片４２を、取付部１２の上端外周縁に形成したリング状の凹段部４３に係合し、また取付台２の外周端を灯体部本体１ａに当接部材４４を介して載置していることである。また支持アーム３は筒状部４０の外周で取付台２の上面に取付けている。
【００２６】
なお、この場合、接続部６１に接続するリード線６２は接続台６０の近傍に孔を形成し、孔より接続部６１側に引出すことができる。
その他は第３の実施の形態と同様であり、共通部分に同一符号を付している。
この発明の第５の実施の形態を図１４に示す。すなわち、第３の実施の形態と異なる点は、支持アーム３を取付台２に対して回動可能に取付手段４５により取付けていることである。また支持アーム３は中空鋼管等の棒状部材を２つ折りに略Ｕ字状に折曲したものでアームケースはない。この実施の形態によれば、支持アーム３を取付台２の回動とともに灯体部１の中心の周りに回動するとともに、支持アームの取付位置を中心に図１４のように回動することで補助照明器具取付部９を灯体部１に接近離間することがでる。
【００２７】
その他は第３の実施の形態と同様である。
なお、第５の実施の形態は第４の実施の形態に適用することができ、また取付台２がなくて直接灯体部１に取付けたり、回動しない取付台２に取付けてもよい。また補助照明器具取付部９を支持アーム３に摺動自在に構成してもよい。
この発明の第６の実施の形態を図１５に示す。すなわち、第３の実施の形態と異なる点は、支持アーム３の支持アーム部２９がアームケース２８に摺動自在に嵌合する上向き開口のチャンネルにより形成されていることである。この実施の形態によれば、アームケース２８および支持アーム部２９に通す電源線が下方から見えないので外観がよくなる。
【００２８】
その他は第３の実施の形態と同様である。
なお、上記の実施の形態において、取付台２は灯体部１の上面に載置され、取付部１２やフランジ１９により規制を受けているが、積極的に取付台２を灯体部１と取付部１２等との間に挟持してもよく、またフランジ１９に回動自在に吊下げられてもよいものである。
【００２９】
【発明の効果】
請求項１記載の照明器具によれば、接続部を器具本体の周縁部より外部に進出することにより、補助照明器具の被接続部を容易に接続部に接続することができ、このため接続が確実にでき、不完全接続を避けやすく安全性を図れる。また被接続部を接続部に接続したままで接続部を周縁部から後退することができるので、見苦しくなくなる。
【００３０】
また、被接続部を接続部に水平方向に接続しているため、後退位置での接続部および被接続部の収納高さを低くでき、このため器具全高を低くでき、たとえば天井直付けの場合天井との間の隙間を小さくできる。
【図面の簡単な説明】
【図１】この発明の第１の実施の形態の部分側面図である。
【図２】その部分斜視図である。
【図３】灯体部のカバーを外して下からみた底面図である。
【図４】第２の実施の形態の部分側面図である。
【図５】その部分斜視図である。
【図６】第３の実施の形態のフランジを外した状態の一部を切欠いた分解斜視図である。
【図７】その切欠部分の拡大図である。
【図８】分解斜視図である。
【図９】部分断面図である。
【図１０】照明器具全体の半断面側面図である。
【図１１】第４の実施の形態のフランジを外した状態の分解斜視図である。
【図１２】その灯体部の取付台も分離した分解斜視図である。
【図１３】部分断面図である。
【図１４】第５の実施の形態の半平面図である。
【図１５】第６の実施の形態の支持アームの斜視図である。
【図１６】第１の従来例の一部破断斜視図である。
【図１７】第２の従来例の斜視図である。
【符号の説明】
１ａ  器具本体となる灯体部本体
６０    接続台
６１    接続部
８０    天井
８１    補助照明器具
８２    被接続部
【図１】
0003744123.tif 000002
【図２】
0003744123.tif 000003
【図３】
0003744123.tif 000004
【図４】
0003744123.tif 000005
【図５】
0003744123.tif 000006
【図６】
0003744123.tif 000007
【図７】
0003744123.tif 000008
【図８】
0003744123.tif 000009
【図９】
0003744123.tif 000010
【図１０】
0003744123.tif 000011
【図１１】
0003744123.tif 000012
【図１２】
0003744123.tif 000013
【図１３】
0003744123.tif 000014
【図１４】
0003744123.tif 000015
【図１５】
0003744123.tif 000016
【図１６】
0003744123.tif 000017
【図１７】
0003744123.tif 000018